(57)【要約】【課題】簡単に脱落しないようにマーカーを保持できるようにしたゴルフ手袋を提供する。【解決手段】手袋の甲部に設けた固着部（６）に開閉可能に係止される締着バンド（７）を基片（９）と覆片（１０）で構成する。覆片（１０）は基片（９）に重ね合わされ、面状ファスナーにより開閉可能に係止される。上記基片（９）には、マーカー収納部（１１）があり、このマーカー収納部（１１）には、マーカー（１２）を吸着するゴム磁石等の軟質磁石（１３）がある。手袋を着脱する際は、締着バンド（７）を開閉して行う。マーカー（１２）を取り出したり収納する際は、基片（９）を固着部（６）に係止したまま覆片（１０）を開閉して行う。【選択図】　　　　図３
2004057648.tif 000002
【特許請求の範囲】
【請求項１】
締着バンドを固着部に係止して装着するゴルフ手袋において、該締着バンドを上記固着部に係止される基片と該基片を覆う覆片で構成し、該基片にマーカー収納部を形成し、該マーカー収納部にマーカーを吸着する磁石を設けたゴルフ手袋。
【請求項２】
上記磁石は、ゴム磁石、プラスチック磁石等の柔軟性を有する磁石である請求項１に記載のゴルフ手袋。
【請求項３】
上記基片と覆片は開閉可能に一端が連結され、重ね合せ面に面状ファスナーが設けられている請求項１または２に記載のゴルフ手袋。
【請求項４】
上記基片の一端を手袋の甲部に連結し、該連結部に上記覆片の一端を連結し、該基片と覆片の自由端を同じ側に設けた請求項３に記載のゴルフ手袋。
【請求項５】
上記基片の一端を手袋の甲部に連結し、該基片の自由端に上記覆片の一端を連結し、該基片と覆片の自由端を対向して設けた請求項３に記載のゴルフ手袋。
【請求項６】
上記基片の面状ファスナーは、マーカー収納部の周囲に形成され、上記覆片の面状ファスナーは上記マーカー収納部に対応する部位を除いて設けられている請求項３に記載のゴルフ手袋。
【発明の詳細な説明】
【０００１】
【発明の属する技術分野】
本発明は、ゴルフやグラウンドゴルフ等のボールを用いる競技、特にグラウンドゴルフに使用するゴルフ手袋に関するものである。
【０００２】
【従来の技術】
グラウンドゴルフ等の競技では、グラウンドから取り除いたボールの位置を表示するためマーカーを使用するが、このマーカーを収納できるようにしたゴルフ手袋が種々提案されている。例えば、実公昭６０−３４３１３号公報、実開昭５７−８４９８０号公報、実開昭６２−４３７４号公報等には、手袋に設けた締着バンドや磁石を利用してマーカーを保持できるようにしたゴルフ手袋が示されている。これらの手袋のうち、磁石を利用して単に吸着させるようにしたものでは、マーカーが外部に露出しているので、振動や衝撃で落下しやすく、また締着バンドとその固着部の間で挟着して保持するものでは、マーカーを使用するたびに手袋の緊締をゆるめなければならずその都度調整しなければならないから、面倒であった。その上、一般にゴルフ手袋は生地が薄く形成されているので、そのような生地に通常の磁石を直接取り付けると甲部や手首に硬質の磁石が直に触れるような違和感があり、装着感が損なわれることがあった。
【０００３】
【発明が解決しようとする課題】
本発明の解決課題は、マーカーを収納できるようにしたゴルフ手袋において、マーカーが脱落しにくく、かつ使用に際して手袋の緊締をゆるめることなくマーカーを取り出したり収納できるようにし、快適に装着できるゴルフ手袋を提供することである。
【０００４】
【課題を解決するための手段】
本発明によれば、締着バンドを固着部に係止して装着するゴルフ手袋において、該締着バンドを上記固着部に係止される基片と該基片を覆う覆片で構成し、該基片にマーカー収納部を形成し、該マーカー収納部にマーカーを吸着する磁石を設けたゴルフ手袋が提案され、上記課題を解決することができる。また、好ましくは、上記磁石は柔軟性を有するゴム磁石、プラスチック磁石等で形成され、上記課題が解決される。
【０００５】
【発明の実施の形態】
本発明は、一般のゴルフ用手袋に適用することもできるが、図に示す実施例ではグラウンドゴルフ用のゴルフ手袋に適用した実施例を示し、手袋本体（１）は、甲部（２）の先端に指部（３）を有し、甲部（２）に設けたスリット（４）の一側には面状ファスナー（５）を有する固着部（６）が形成され、該スリット（４）の他側に連結した締着バンド（７）を引き寄せ、背面に設けた面状ファスナー（８）を上記固着部（６）の面状ファスナー（５）に着脱自在に係止して公知のように装着することができる。
【０００６】
上記締着バンド（７）は、上記面状ファスナー（８）を背面に有する基片（９）と、該基片（９）の表面を覆う覆片（１０）で構成されている。そして、該基片（９）の表面側には、マーカー収納部（１１）が形成され、該マーカー収納部（１１）にはマーカー（１２）を磁力により吸着するよう磁石（１３）が設けられている。該磁石（１３）としては、小さな硬質の磁石を設けることもできるが、好ましくは図に示すようにゴム磁石、プラスチック磁石等の柔軟性を有する軟質磁石を縫着、接着等して取り付けてある。
【０００７】
上記基片（９）と覆片（１０）は、重ね合わせ面にそれぞれ面状ファスナー（１４），　（１５）を設けて着脱自在に係止される。この際、上記面状ファスナー（１４）は上記マーカー収納部（１１）を画成するように略コ字状に形成され、該マーカー収納部（１１）は該面状ファスナー（１４）により囲まれ、一方上記覆片（１０）の面状ファスナー（１５）も上記マーカー収納部（１１）に対応する部位を除いて略コ字状に設けられている。このように、マーカー収納部を除いて周囲に面状ファスナー（１４），（１５）　を設けることにより、収納時に該マーカー収納部の周囲が面状ファスナー（１４），（１５）　で塞がれ、マーカー（１２）が落下しないようにでき、また覆片（１０）を開放させるときに容易に面状ファスナー（１４），（１５）　の係合を外すことができる。
【０００８】
上記基片（９）の一端は、上記締着バンド（７）の連結部（１６）に連結され、該連結部（１６）に覆片（１０）の一端も連結され、基片（９）と覆片（１０）の自由端（１７），　（１８）が同じ側に位置している（図２）が、図７に示すように覆片（１０）を基片（９）の他端側、すなわち自由端（１７）側に連結（１９）してもよい。このようにすれば、覆片（１０）の自由端（１８）が基片（９）の自由端（１７）と対向する側に位置するから、締着バンド（７）を開閉するときと、覆片（１０）を開閉するときの開閉方向を逆にすることができ、必要部位を的確に開閉することができる。
【０００９】
上記の構成により、上記覆片（１０）と基片（９）を重ね合わせた状態で、上記締着バンド（７）（基片）の自由端（１７）側を持って締着バンド（７）と固着部（６）の係止を外し該締着バンド（７）を開放すると、図４に示すように手袋の手首部の緊締がゆるめられて手袋を脱着することができる。
【００１０】
また、上記固着部（６）との間の面状ファスナー（５），（８）を係止した状態で、すなわち上記基片（９）を係止したまま、該基片（９）上に重ね合わせた覆片（１０）を開放すると、図５に示すようにマーカー収納部（１１）が現れ、マーカー（１２）を磁石（１３）から外すことができる（図６）。その後は、上記覆片（１０）を基片（９）に重ね、面状ファスナー（１４），　（１５）を係止させればよい。
【００１１】
マーカー（１２）を使用後は、図５，図６に示すように覆片（１０）を開放して上記マーカー収納部（１１）内に入れ、磁石（１３）に吸着させた後、再び上記覆片（１０）を基片（９）上に重ね合わせて係止すればよい。
【００１２】
なお、図７に示したように、覆片（１０）と基片（９）の連結部（１９）を、基片（９）と手袋甲部の連結部（１６）の反対側に設けると基片（９）と覆片（１０）の自由端（１７），　（１８）が対向した離れた位置に存しているので、手袋を着脱する際は上記基片（９）の自由端（１７）を持って締着バンド（７）を開閉し、一方マーカー（１２）を取り出したり収納する際は、上記覆片（１０）の自由端（１８）を持って開閉すればよく、操作に誤りをなくすことができる。
【００１３】
【発明の効果】
本発明は上記のように構成され、ゴルフ手袋の締着バンドを固着部に係止される基片と該基片を覆う覆片で構成し、該基片にマーカー収納部を設け、該マーカー収納部にマーカーを吸着する磁石を設けたので、上記マーカー収納部にマーカーを収納すると該マーカーは磁石に吸着されると共に上面が覆片で覆われるから、振動や衝撃等により脱落するおそれはなく、またマーカーを取り出したり収納したりする際、基片は固着部に係止されたままで手袋の緊締状態は維持され、程よく調整した手袋の装着具合をその都度調整する必要がない。
【００１４】
さらに、上記マーカー収納部に設けた磁石は、基片に設けられており、該磁石をゴム磁石等の軟質磁石で構成すると、装着した際の違和感が少なく、覆片の自由端と基片の自由端を対向して設ければ、締着バンドを開閉するときと、覆片を開閉するときの指を掛ける位置が変わり、的確に所要部位を開閉することができる。
【図面の簡単な説明】
【図１】本発明の一実施例を示す正面図。
【図２】図１のＡ−Ａ線拡大断面図。
【図３】締着バンドと固着部の関係を示す一部の斜視図。
【図４】締着バンドを開放した状態の一部の正面図。
【図５】覆片を開放した状態の一部の斜視図。
【図６】覆片を開放した状態の説明図。
【図７】他の実施例を示す説明図。
【符号の説明】
６…固着部　　７…締着バンド　　９…基片　　１０…覆片　　１１…マーカー収納部　　１３…磁石
【図１】
2004057648.tif 000003
【図２】
2004057648.tif 000004
【図３】
2004057648.tif 000005
【図４】
2004057648.tif 000006
【図５】
2004057648.tif 000007
【図６】
2004057648.tif 000008
【図７】
2004057648.tif 000009